(57)【要約】      （修正有）【課題】工具がなくても組み立てられ、より良い遮蔽効果がある収納棚の支柱を提供する。【解決手段】支柱１０は金属板を折り曲げてなるため、支柱には隣接する少なくとも二つの直立部１１があり、直立部の側端は相対する内側の方向にそれぞれ折り返し部１２によって支持板１３が設けられ、折り返し部が伸びることによって、直立部と支持板は適度な距離が保たれるため、両者の間にそれぞれ回避空間１４が構成され、支持板は間隔に複数の結合孔１５が貫通され、結合孔はそれぞれ孔径が大きい上孔部１５１と孔径が小さい下孔部１５２とが互いに連接することによって構成され、結合孔に受け棒２０の二端段の位置決め部２１を嵌め入れることで、受け棒は合わせて各支柱の間に棚板を置けるフレーム構造を形成し、直立部によって遮蔽することで、位置決め部が回避空間に完全に隠され、露出しない。【選択図】図２
0003226758.tif 000002
【実用新案登録請求の範囲】
【請求項１】
立柱を含む収納棚の支柱構造であって、
上記支柱は金属板を折り曲げてなるため、上記支柱には隣接する少なくとも二つの直立部があり、上記直立部の側端は相対する内側の方向にそれぞれ折り返し部によって支持板が設けられ、上記折り返し部が伸びることによって、上記直立部と支持板は適度な距離が保たれるため、上記両者の間にそれぞれ回避空間が構成され、上記支持板は間隔に複数の結合孔が貫通され、上記結合孔はそれぞれ孔径が大きい上孔部と孔径が小さい下孔部とが互いに連接することによって構成され、上記結合孔に受け棒の二端段の位置決め部を嵌め入れることで、上記受け棒は合わせて各支柱の間に棚板を置けるフレーム構造を形成し、上記直立部によって遮蔽することで、上記位置決め部が上記回避空間に完全に隠され、露出しないことを特徴とする収納棚の支柱構造。
【請求項２】
上記支柱には二つの直立部があり、二つの直立部は折り曲げられた後、互いに連接されてＬ形状になり、上記支柱は上記収納棚の四角に使われることを特徴とする請求項１の収納棚の支柱構造。
【請求項３】
上記述支柱には二つの直立部があり、二つの直立部は直線状で連接され、上記二つの直立部の側端は上記折り返し部によってそれぞれＬ形状の上記支持板が接続され、上記支持板にある上記結合孔の設置によって、上記支柱は上記二つの収納棚の間の連結用いられることを特徴とする請求項１の収納棚の支柱構造。
【請求項４】
上記折り返し部は円弧縁であることを特徴とする請求項１の収納棚の支柱構造。
【考案の詳細な説明】
【技術分野】
【０００１】
本考案は収納棚の支柱構造に関し、特に工具がなくても組み立てられ、より良い遮蔽効果がある収納棚の支柱構造に関する。
【背景技術】
【０００２】
現在にある従来の収納棚構造の多くは図８と図９に示されるように、複数の角鉄（４０）を含む。上述の角鉄（４０）には貫通孔（４１）が分布され、上述貫通孔（４１）の位置合わせによって、さらにボルト（４２）とナット（４３）を合わせて締め付けると、上述各角鉄（４０）は互いに結合してフレームが完成され、該フレームは棚板を置くことで物の収納に提供される。
【０００３】
しかし、上述のような従来構造は実際に応用する時において以下の問題が存在する。角鉄（４０）はボルト（４２）とナット（４３）を締め付けるのに工具が必要で、組み立てまたは取り外しの過程において、ゆっくり回す必要があり、使用上の利便性が大きく損なわれる。
【０００４】
従って、上述のような従来の収納棚の支柱構造における欠点について研究改良することは実に関係業界が努力して解決すべき目標であるため、本考案者はこれを機に創作の意思を起こし、長年の経験により設計し、多方面に追究しながら試作品をつくり、また多数回にわたる修正改良の結果、本考案を得た。
【考案の概要】
【考案が解決しようとする課題】
【０００５】
本考案が解決しようとする課題は、従来技術に存在する収納棚は角鉄をボルト、ナットと合わせて締め付けるのであって、完成するのに工具のサポートが必要で、組み立てまたは取り外しの過程において、ゆっくり回さないといけない上述の欠点について解決し、収納棚の支柱構造を提供する。
【課題を解決するための手段】
【０００６】
本考案の収納棚の支柱構造は、該支柱は金属板を折り曲げてなるため、上述支柱は隣接する少なくとも二つの直立部がある。上述直立部の側端は相対する内側の方向にそれぞれ折り返し部によって支持板が設けられ、該折り返し部が伸びることによって、上述直立部と支持板は適度な距離が保たれるため、該両者の間にそれぞれ回避空間が構成される。上述支持板は間隔に複数の結合孔が貫通され、該結合孔ごとはすべて孔径が大きい上孔部と孔径が小さい下孔部とが互いに連接することによって構成される。上述結合孔に受け棒の二端段の位置決め部を嵌め入れることで、上述受け棒は合わせて各支柱の間に棚板を置けるフレーム構造を形成する。上述直立部によって遮蔽することで、上述位置決め部が上述回避空間に完全に隠され、露出しない。これによって、収納棚の支柱の改良構造が得られる。
【０００７】
（一）上述結合孔に嵌め入れることで、上述収納棚が工具によるサポートなしという前提で、両手だけで取付けを完成でき、組み立てまたは取り外しの過程においてもゆっくりボルトまたはナットを回す必要がなく、使用上に優れた利便性を奏する。
【０００８】
（二）上述回避空間の形成と上述直立部からなる遮蔽によって、上述受け棒の位置決め部が完全に上述回避空間の中に隠され、露出しない。上述収納棚は使用上における見た目がよりよく、また必要のない引っ掛かりが避けられる。
【図面の簡単な説明】
【０００９】
【図１】図１は、本考案の支柱の立体図である。
【図２】図２は、本考案の支柱は受け棒と合わせて使用した立体分解図である。
【図３】図３は、本考案の収納棚の立体組合せ図である。
【図４】図４は、本考案の収納棚の組合せ断面図である。
【図５】図５は、本考案の別の良い実施例の支柱の立体図である。
【図６】図６は、本考案の別の良い実施例の収納棚の組合せ断面図である。
【図７】図７は、本考案の別の良い実施例の収納棚の立体組合せ図である。
【図８】図８は、従来構造の立体組合せ図である。
【図９】図９は、従来構造の立体分解図である。
【考案を実施するための形態】
【００１０】
まず、図１から図４を参照されたい。本考案の収納棚の支柱構造は、該支柱（１０）は金属板を折り曲げてなるため、上述支柱（１０）は隣接する少なくとも二つの直立部（１１）がある。上述直立部（１１）の側端は相対する内側の方向にそれぞれ折り返し部（１２）によって支持板（１３）が設けられ、該折り返し部（１２）が伸びることによって、上述直立部（１１）と支持板（１３）は適度な距離が保たれるため、該両者の間にそれぞれ回避空間（１４）が構成される。上述支持板（１３）は間隔に複数の結合孔（１５）が貫通され、該結合孔（１５）はそれぞれ孔径が大きい上孔部（１５１）と孔径が小さい下孔部（１５２）とが互いに連接することによって構成される。上述結合孔（１５）に受け棒（２０）の二端段の位置決め部（２１）を嵌め入れることで、上述受け棒（２０）が合わせて各支柱（１０）の間に棚板（３０）を置けるフレーム構造を形成する。上述直立部（１１）によって遮蔽することで、上述位置決め部（２１）が上述回避空間（１４）に完全に隠され、露出しない。
上述支柱（１０）には二つの直立部（１１）があり、二つの直立部（１１）は折り曲げた後、互いに連接されてＬ形状になり（同時に図１から図４を参照されたい）、上述支柱（１０）は上述収納棚の四角に使われる。
上述支柱（１０）には二つの直立部（１１）があり、二つの直立部（１１）は直線状で連接され、上述二つの直立部（１１）の側端は上述折り返し部（１２）によってそれぞれＬ形状の上述支持板（１３）が接続される。上述支持板（１３）の二つの垂直面にある上述結合孔（１５）の設置によって、上述支柱（１０）は上述二つの収納棚の間の連結用いられる（同時に図５から図７を参照されたい）。
上述折り返し部（１２）は円弧縁である。
上述具体的な実施の構造によって、以下の効果が得られる。（一）上述結合孔（１５）によって嵌め入れることで、上述収納棚が工具によるサポートなしという前提で、両手だけで取付けを完成でき、組み立てまたは取り外しの過程においてもゆっくりボルトまたはナットを回す必要がなく、使用上に優れた利便性を奏する。
【００１１】
（二）上述回避空間（１４）の形成と上述直立部（１１）からなる遮蔽によって、上述受け棒（２０）の位置決め部（２１）が完全に上述回避空間（１４）の中に隠され、露出しない。上述収納棚は使用上における見た目がよりよく、また必要のない引っ掛かりが避けられる。
以上は、本考案に係る実施例の一部に過ぎないため、本考案の実施範囲を制限するものではない。即ち、本考案の特許請求の範囲内で行われる変化、修飾なども本考案の範囲に属すべきである。
【符号の説明】
【００１２】
本考案：
１０              支柱
１１              直立部
１２              折り返し部
１３              支持板
１４              回避空間
１５              結合孔
１５１            上孔部
１５２            下孔部
２０              受け棒
２１              位置決め部
３０              棚板
従来技術：
４０              角鉄
４１              貫通孔
４２              ボルト
４３              ナット
【図１】
0003226758.tif 000003
【図２】
0003226758.tif 000004
【図３】
0003226758.tif 000005
【図４】
0003226758.tif 000006
【図５】
0003226758.tif 000007
【図６】
0003226758.tif 000008
【図７】
0003226758.tif 000009
【図８】
0003226758.tif 000010
【図９】
0003226758.tif 000011
【手続補正書】
【提出日】令和2年4月6日(2020.4.6)
【手続補正１】
【補正対象書類名】実用新案登録請求の範囲
【補正対象項目名】全文
【補正方法】変更
【補正の内容】
【実用新案登録請求の範囲】
【請求項１】
立柱を含む収納棚の支柱であって、
上記支柱は金属板を折り曲げてなるため、上記支柱には隣接する少なくとも二つの直立部があり、上記直立部の側端は相対する内側の方向にそれぞれ折り返し部によって支持板が設けられ、上記折り返し部が伸びることによって、上記直立部と支持板は適度な距離が保たれるため、上記両者の間にそれぞれ回避空間が構成され、上記支持板は間隔に複数の結合孔が貫通され、上記結合孔はそれぞれ孔径が大きい上孔部と孔径が小さい下孔部とが互いに連接することによって構成され、上記結合孔に受け棒の二端段の位置決め部を嵌め入れることで、上記受け棒は合わせて各支柱の間に棚板を置けるフレーム構造を形成し、上記直立部によって遮蔽することで、上記位置決め部が上記回避空間に完全に隠され、露出しないことを特徴とする収納棚の支柱。
【請求項２】
上記支柱には二つの直立部があり、二つの直立部は折り曲げられた後、互いに連接されてＬ形状になり、上記支柱は上記収納棚の四角に使われることを特徴とする請求項１の収納棚の支柱。
【請求項３】
上記述支柱には二つの直立部があり、二つの直立部は直線状で連接され、上記二つの直立部の側端は上記折り返し部によってそれぞれＬ形状の上記支持板が接続され、上記支持板にある上記結合孔の設置によって、上記支柱は上記二つの収納棚の間の連結用いられることを特徴とする請求項１の収納棚の支柱。
【請求項４】
上記折り返し部は円弧縁であることを特徴とする請求項１の収納棚の支柱。